(57)【要約】【課題】本発明は現状３葉片が最多葉片となる三つ折りはがきであるところ、葉片に数えられない宛名ラベルを組み合わせることで、更に多くの情報を記載して伝達することが可能な折り畳み郵便はがきを提供することを目的とする。【解決手段】第一葉片及び第二葉片と前記２葉片よりも横方向の長さ及び／又は縦方向の長さが短い第三葉片及び第四葉片の合計４葉片が上から第四葉片、第三葉片、第二葉片及び第一葉片の順序で重ね合わされた折り畳み郵便はがきであり、前記各葉片の対向面間を疑似接着媒体を介して剥離可能に接着し、第二葉片がはがき本体となり第四葉片の表出面には料金受取人払い及びそれに関連する表示、郵便番号枠及び受取人の住所氏名等の郵便業務に関連する必須の表示しかなされず、前記郵便業務に関連する必須の表示の内の少なくとも受取人の住所氏名が記載されていることを特徴とした折り畳み郵便はがきにより解決される。【選択図】図１
2019181909.tif 000002
【特許請求の範囲】
【請求項１】
第一葉片及び第二葉片と前記２葉片よりも横方向の長さ及び／又は縦方向の長さが短い第三葉片及び第四葉片の合計４葉片が上から第四葉片、第三葉片、第二葉片及び第一葉片の順序で重ね合わされた折り畳み郵便はがきであり、前記各葉片の対向面間を疑似接着媒体を介して剥離可能に接着し、第二葉片がはがき本体となり第四葉片の表出面には料金受取人払い及びそれに関連する表示、郵便番号枠及び受取人の住所氏名等の郵便業務に関連する必須の表示しかなされず、前記郵便業務に関連する必須の表示の内の少なくとも受取人の住所氏名が記載されていることを特徴とした折り畳み郵便はがき。
【請求項２】
第一葉片、第二葉片、第三葉片と前記３葉片よりも横方向の長さ及び／又は縦方向の長さが短い第四葉片及び第五葉片の合計５葉片が上から第五葉片、第四葉片、第三葉片、第二葉片及び第一葉片の順序で重ね合わされた折り畳み郵便はがきであり、第二葉片及び第三葉片の対向面間を剥離不能に接着すると共にその他の対向面間を疑似接着媒体を介して剥離可能に接着し、前記剥離不能に接着された第二葉片及び第三葉片がはがき本体となり、第五葉片の表出面には料金受取人払い及びそれに関連する表示、郵便番号枠及び受取人の住所氏名等の郵便業務に関連する必須の表示しかなされず、前記郵便業務に関連する必須の表示の内の少なくとも受取人の住所氏名が記載されていることを特徴とした折り畳み郵便はがき。
【請求項３】
第一葉片及び第二葉片と前記２葉片よりも横方向の長さ及び／又は縦方向の長さが短い第三葉片、第四葉片及び第五葉片の合計５葉片が上から第五葉片、第四葉片、第三葉片、第二葉片及び第一葉片の順序で重ね合わされた折り畳み郵便はがきであり、第二葉片及び第三葉片の対向面間を剥離不能に接着すると共にその他の対向面間を疑似接着媒体を介して剥離可能に接着し、前記剥離不能に接着された第二葉片及び第三葉片がはがき本体となり、第五葉片の表出面には料金受取人払い及びそれに関連する表示、郵便番号枠及び受取人の住所氏名等の郵便業務に関連する必須の表示しかなされず、前記郵便業務に関連する必須の表示の内の少なくとも受取人の住所氏名が記載されていることを特徴とした折り畳み郵便はがき。
【請求項４】
第一葉片、第二葉片、第三葉片と前記３葉片よりも横方向の長さ及び／又は縦方向の長さが短い第四葉片及び第五葉片の合計５葉片が上から第五葉片、第四葉片、第三葉片、第二葉片及び第一葉片の順序で重ね合わされた折り畳み郵便はがきであり、第二葉片及び第三葉片の対向面間を剥離不能に接着すると共にその他の対向面間を疑似接着媒体を介して剥離可能に接着し、前記剥離不能に接着された第二葉片及び第三葉片がはがき本体となり、他の葉片から独立して分離することが可能な第五葉片の表出面には料金受取人払い及びそれに関連する表示、郵便番号枠及び受取人の住所氏名等の郵便業務に関連する必須の表示しかなされず、前記郵便業務に関連する必須の表示の内の少なくとも受取人の住所氏名が記載されていることを特徴とした折り畳み郵便はがき。
【発明の詳細な説明】
【技術分野】
【０００１】  本発明は、複数の葉片を折畳み剥離可能に一体化することで、従来よりも大量の情報を隠蔽状態で伝達することが可能な郵便はがきに関する。
【背景技術】
【０００２】  近年、複数の葉片を折畳み剥離可能に一体化することで、受取人に大量の情報を隠蔽状態でしかも郵便はがき料金で送れるという優れた機能を有する郵便はがきが使用されている。ところで内国郵便約款で規定される第二種郵便物の通常はがきは、はがきのサイズ・重さ等に制限がある。従って現状使用可能な通常はがきは、例えば実開平７−２６１６０号公報に記載される三つ折りシークレットはがきのように、本体となる葉片の両面に葉片が貼付された三つ折り（Ｚ折り）の形態までが認められている。
【先行技術文献】
【特許文献】
【０００３】
【特許文献１】実開平７−２６１６０号公報
【発明の概要】
【発明が解決しようとする課題】
【０００４】  前記特許文献１の三つ折りシークレットはがきは、３葉片の表裏面に各種情報を記載することができる。ところでダイレクトメール等のはがきに受取人の住所・氏名を印刷する手段として、例えば前記受取人の住所氏名をプリンターによりはがき表面に直接印字したり、受取人の住所氏名を別工程で印字した宛名ラベルを別工程で貼り付けたりしている。【０００５】  本発明は現状３葉片が最多葉片となる三つ折りはがきであるところ、葉片に数えられない宛名ラベルを組み合わせることで、更に多くの情報を記載して伝達することが可能な折り畳み郵便はがきを提供することを目的とする。
【課題を解決するための手段】
【０００６】  上記目的を達成するために、本発明の折り畳み郵便はがきは、第一葉片及び第二葉片と前記２葉片よりも横方向の長さ及び／又は縦方向の長さが短い第三葉片及び第四葉片の合計４葉片が上から第四葉片、第三葉片、第二葉片及び第一葉片の順序で重ね合わされた折り畳み郵便はがきであり、前記各葉片の対向面間を疑似接着媒体を介して剥離可能に接着し、第二葉片がはがき本体となり第四葉片の表出面には料金受取人払い及びそれに関連する表示、郵便番号枠及び受取人の住所氏名等の郵便業務に関連する必須の表示しかなされず、前記郵便業務に関連する必須の表示の内の少なくとも受取人の住所氏名が記載されていることを特徴としている。【０００７】  また上記目的を達成するために、本発明の異なる態様の折り畳み郵便はがきは、第一葉片、第二葉片、第三葉片と前記３葉片よりも横方向の長さ及び／又は縦方向の長さが短い第四葉片及び第五葉片の合計５葉片が上から第五葉片、第四葉片、第三葉片、第二葉片及び第一葉片の順序で重ね合わされた折り畳み郵便はがきであり、第二葉片及び第三葉片の対向面間を剥離不能に接着すると共にその他の対向面間を疑似接着媒体を介して剥離可能に接着し、前記剥離不能に接着された第二葉片及び第三葉片がはがき本体となり、第五葉片の表出面には料金受取人払い及びそれに関連する表示、郵便番号枠及び受取人の住所氏名等の郵便業務に関連する必須の表示しかなされず、前記郵便業務に関連する必須の表示の内の少なくとも受取人の住所氏名が記載されていることを特徴としている。【０００８】  さらに上記目的を達成するために、本発明の異なる態様の折り畳み郵便はがきは、第一葉片及び第二葉片と前記２葉片よりも横方向の長さ及び／又は縦方向の長さが短い第三葉片、第四葉片及び第五葉片の合計５葉片が上から第五葉片、第四葉片、第三葉片、第二葉片及び第一葉片の順序で重ね合わされた折り畳み郵便はがきであり、第二葉片及び第三葉片の対向面間を剥離不能に接着すると共にその他の対向面間を疑似接着媒体を介して剥離可能に接着し、前記剥離不能に接着された第二葉片及び第三葉片がはがき本体となり、第五葉片の表出面には料金受取人払い及びそれに関連する表示、郵便番号枠及び受取人の住所氏名等の郵便業務に関連する必須の表示しかなされず、前記郵便業務に関連する必須の表示の内の少なくとも受取人の住所氏名が記載されていることを特徴としている。【０００９】  さらにまた上記目的を達成するために、本発明の異なる態様の折り畳み郵便はがきは、第一葉片、第二葉片、第三葉片と前記３葉片よりも横方向の長さ及び／又は縦方向の長さが短い第四葉片及び第五葉片の合計５葉片が上から第五葉片、第四葉片、第三葉片、第二葉片及び第一葉片の順序で重ね合わされた折り畳み郵便はがきであり、第二葉片及び第三葉片の対向面間を剥離不能に接着すると共にその他の対向面間を疑似接着媒体を介して剥離可能に接着し、前記剥離不能に接着された第二葉片及び第三葉片がはがき本体となり、他の葉片から独立して分離することが可能な第五葉片の表出面には料金受取人払い及びそれに関連する表示、郵便番号枠及び受取人の住所氏名等の郵便業務に関連する必須の表示しかなされず、前記郵便業務に関連す���必須の表示の内の少なくとも受取人の住所氏名が記載されていることを特徴としている。【００１０】  本発明の折り畳み郵便はがきのラベル片とみなされる葉片表面に記載される情報は、料金受取人払い及びそれに関連する表示、郵便番号枠及び受取人の住所氏名等の郵便業務に関連する必須の表示に限られる。そしてその中でも必須の表示は受取人の住所氏名である。即ち白紙の面に受取人の住所氏名が表示されただけの状態が基本になり、場合により料金受取人払い及びそれに関連する表示、或いは郵便番号枠等郵便業務に関連する必須の表示が選択されて表示される。【００１１】  また本発明の請求項１及び２に係る折り畳み郵便はがきのラベル片とみなされる葉片は折り線を介して他の葉片と連接されているが、請求項３に係る折り畳み郵便はがきのラベル片と見なされる葉片は他の葉片から独立しているため、剥離すると他の葉片から分離しできる一枚のラベル片となる。【００１２】  本発明の折り畳み郵便はがきの剥離可能な接着は、以下の各種疑似接着態様により実行される。以下の各疑似接着媒体が形成された用紙は、折り畳まれ加圧或いは加熱・加圧処理を施されると剥離可能に接着するものである。
１）天然或いは合成ゴムを主剤とした疑似接着媒体を印刷前の用紙に塗布、含侵させた      後に表面から印刷を施す、業界で先糊方式と呼ばれるもの。
２）印刷後の用紙表面に疑似接着性のＵＶ硬化ニスを塗布して疑似接着性の被膜を形成      する、業界で後糊方式と呼ばれるもの。
３）印刷後の用紙表面に疑似接着性のフィルムシートを被覆する、業界でフィルム方式      と呼ばれるもの。なおフィルム方式は、予め疑似接着されたフィルムシートを折り      畳まれた葉片間に挟み込み加熱・加圧処理を施して剥離可能に一体化する挟み込み      方式と、疑似接着層を形成した疑似接着フィルムシートを印刷後の用紙表面に被覆      してその後折り畳み加圧或いは加熱・加圧処理を保護越して剥離可能に一体化する      全面貼り方式がある。【００１３】  また本発明の折り畳み郵便はがきの剥離不能な接着は、例えば感圧性、感熱性或いは乾湿性の接着剤を塗布したり、前記接着性の接着剤層を形成したフィルムシートを被覆したりすることにより実行される。【００１４】  本発明の折り畳み郵便はがきは４葉片を蛇腹状に折り畳んだ形態と５葉片を蛇腹状に折り畳んだ形態の２種類がある。そして前記５葉片を蛇腹状に折り畳んだ形態は、第一葉片と第二葉片を連接する折り線を、山折りにするか谷折りにするかで更に２種類の態様に分分かれる。【００１５】  本発明の折り畳み郵便はがきの５葉片を蛇腹状に折り畳んだ形態において、はがき本体となる第二葉片及び第三葉片は、完全接着フィルムシートで剥離不能に接着一体化される。そして各葉片の重ね合わせ後第二葉片或いは第三葉片の表出する部分に「郵便はがき」或いは「ＰＯＳＴ  ＣＡＲＤ」等の文言を左側縦縁辺或いは上縁辺に記載する。これにより一体化された第二葉片及び第三葉片がはがきの本体となるのである。
【発明の効果】
【００１６】  本発明の折り畳み郵便はがきによれば、現状３葉片が最多葉片となる三つ折りはがきであるところ、葉片に数えられない宛名ラベルを組み合わせることで、１葉片が追加され４葉片が連接された郵便はがきとなる。従って、決められた情報（料金受取人払い及びそれに関連する表示、郵便番号枠及び受取人の住所氏名等の郵便業務に関連する必須の表示に限られる）しか記載できない表出面と逆側の接着面側に情報の記載が可能になる。即ち現状の３葉片から３．５葉片の情報記載面を持つことになり、より多くの情報を隠蔽状態で伝達することが可能になる。
また情報量が増えるにも関わらず郵便料金が通常はがきの料金のため極めて経済的である。
さらに単純な蛇腹折りにより構成されるため製造コストも経済的である。
【図面の簡単な説明】
【００１７】
【図１】（Ａ）は本発明の実施例１の折り畳み郵便はがきＨ１の平面図、（Ｂ）は（Ａ）におけるア−ア線断面図である。
【図２】（Ａ）は図１におけるイ−イ線断面図、（Ｂ）はウ−ウ線断面図である。
【図３】（Ａ）は折り畳み郵便はがきＨ１を製作するはがきシートＳ１の表面図、（Ｂ）は裏面図である。
【図４】（Ａ）は本発明の実施例２の折り畳み郵便はがきＨ２の平面図、（Ｂ）は（Ａ）におけるエ−エ線断面図である。
【図５】（Ａ）は図４におけるオ−オ線断面図、（Ｂ）はカ−カ線断面図である。
【図６】（Ａ）は折り畳み郵便はがきＨ２を製作するはがきシートＳ２の表面図、（Ｂ）は裏面図である。
【図７】（Ａ）は本発明の実施例３の折り畳み郵便はがきＨ３の平面図、（Ｂ）は（Ａ）におけるキ−キ線断面図である。
【図８】（Ａ）は図７におけるク−ク線断面図、（Ｂ）はケ−ケ線断面図である。
【図９】（Ａ）は折り畳み郵便はがきＨ３を製作するはがきシ−トＳ３の表面図、（Ｂ）は裏面図である。
【図１０】（Ａ）は本発明の実施例４の折り畳み郵便はがきＨ４の平面図、（Ｂ）は（Ａ）におけるコ−コ線断面図である。
【図１１】（Ａ）は図１０におけるサ−サ線断面図、（Ｂ）はシ−シ線断面図である。
【図１２】（Ａ）は折り畳み郵便はがきＨ４を製作するはがきシートＳ４の表面図、（Ｂ）は裏面図である。
【図１３】（Ａ）は本発明の実施例５の折り畳み郵便はがきＨ５の平面図、（Ｂ）は（Ａ）におけるス−ス線断面図である。
【図１４】（Ａ）は図１３におけるセ−セ線断面図、（Ｂ）はソ−ソ線断面図である。
【図１５】（Ａ）は折り畳み郵便はがきＨ５を製作するはがきシートＳ５の表面図、（Ｂ）は裏面図である。
【図１６】（Ａ）は本発明の実施例６の折り畳み郵便はがきＨ６の平面図、（Ｂ）は（Ａ）におけるタ−タ線断面図である。
【図１７】（Ａ）は図１６におけるチ−チ線断面図、（Ｂ）はツ−ツ線断面図である。
【図１８】（Ａ）は折り畳み郵便はがきＨ６を製作するはがきシートＳ６の表面図、（Ｂ）は裏面図である。
【図１９】（Ａ）は本発明の実施例７の折り畳み郵便はがきＨ７の平面図、（Ｂ）は（Ａ）におけるテ−テ線断面図である。
【図２０】（Ａ）は図１９におけるト−ト線断面図、（Ｂ）はナ−ナ線断面図である。
【図２１】（Ａ）は折り畳み郵便はがきＨ７を製作するはがきシートＳ７の表面図、（Ｂ）は裏面図である。
【図２２】（Ａ）は本発明の実施例８の折り畳み郵便はがきＨ８の平面図、（Ｂ）は（Ａ）におけるニ−ニ線断面図である。
【図２３】（Ａ）は図１におけるヌ−ヌ線断面図、（Ｂ）はネ−ネ線断面図である。
【図２４】（Ａ）は折り畳み郵便はがきＨ８を製作するはがきシートＳ８の表面図、（Ｂ）は裏面図である。
【図２５】（Ａ）は本発明の実施例９の折り畳み郵便はがきＨ９の平面図、（Ｂ）は（Ａ）におけるノ−ノ線断面図である。
【図２６】（Ａ）は本発明の実施例１０の折り畳み郵便はがきＨ１０の断面図、（Ｂ）は剥離展開の状態を示す断面図である。
【発明を実施するための最良の形態】
【実施例１】
【００１８】［４葉片が連接された折り畳み郵便はがきＨ１］
以下本発明を図面に沿って分かりやすく説明する。
なお以下の実施例では、疑似接着媒体としてフィルム方式における全面貼り方式の疑似接着フィルムシートを使用している。
図１（Ａ）、（Ｂ）及び図２（Ａ）、（Ｂ）に示すように本実施例１の折り畳み郵便はがきＨ１は、上から第四葉片４、第三葉片３、第二葉片２及び第一葉片１が折り線７、６及び５から蛇腹状に折り畳まれ、それぞれの対向面間は疑似接着フィルムシートＧを介して剥離可能に接着されている。各葉片の横幅の関係は図３（Ａ）及び（Ｂ）に示す展開図より、第一葉片１≒第二葉片２＞第三葉片３≒第四葉片４で、また縦幅の関係は第一葉片１≒第二葉片２≒第三葉片３＞第四葉片４である。そして第四葉片４から第二葉片２の縦縁辺がはみ出し、その表出面に「ＰＯＳＴ  ＣＡＲＤ」或いは「郵便はがき」等の表示がなされている。この場合、前記表示がされている第二葉片２がはがき本体とみなされる。【００１９】  この折り畳み郵便はがきＨ１は図２（Ａ）及び（Ｂ）に示すように、折り線７、６及び５に折りミシンが形成されている。前記折りミシンは、疑似接着フィルムシートＧ及びそれが被覆されたはがきシートの両者を共に貫通する状態で形成されている。しかし折りミシンは両者を貫通する必要は必ずしもなく、例えばはがきシートＳ１のみに形成されていても構わず、或いは全く形成されることなく折り機等により強制的に折り畳まれていても構わない。この点については本実施例１以降の各実施例も同様で、折りミシンが両者を貫通しているがその態様に限られることはない。【００２０】  この折り畳み郵便はがきＨ１の受取人は、各葉片の対向面の縦縁辺に形成されている疑似接着フィルムシートＧ同士が接着していない非接着域の空間を剥離の端緒として、指で摘まみ捲り上げることができる。そして図３（Ａ）及び（Ｂ）に示すように蛇腹状に折り畳まれていた各葉片の対向面を剥離して平面に展開することにより、内部の情報を透明或いは半透明の疑似接着フィルムシートＧを透して視認することが出来るのである。【００２１】  本実施例１の折り畳み郵便はがきＨ１は、例えば図３（Ａ）及び（Ｂ）に示す、第一葉片１、第二葉片２、第三葉片３及び第四葉片４が折り線５、６及び７を介して横方向に連接されたはがきシートＳ１により製造される。なお前記はがきシートＳ１はビジネスフォーム印刷等に使用される長尺状シートの態様で印刷されていても、或いはオフセット印刷等に使用される枚葉状シートの態様で印刷されていても構わない。なおこの印刷形式の選択に関しては以下の実施例でも同様である。【００２２】  長尺状シート或いは枚葉状シートに印刷されたはがきシートＳ１の、各葉片の表裏面の疑似接着予定面には、ラミネータ等の被覆装置により疑似接着フィルムシートＧが、図３（Ａ）に示すように第二葉片２及び第三葉片３表面の略全面、そして同図（Ｂ）に示すように第二葉片２及び第三葉片３裏面の全面及び第一葉片１及び第四葉片４の略全面に被覆される。なお図３（Ａ）に示すように第二葉片２及び第三葉片３の折り線５及び７に沿った領域、及び同図（Ｂ）に示すように第一葉片１及び第四葉片４の外側端縁の疑似接着フィルムシートＧが被覆されていない領域は、既述の折り畳み郵便はがきＨ１の受取人が開封の端緒とする非接着領域を形成する。なおこの剥離の端緒となる非接着域の形成は以下の実施例でも同様である。【００２３】  このように疑似接着フィルムシートＧが被覆されたはがきシートＳ１は、断裁機や型抜き機等により周囲が切除されて切り出された後に折り機に掛けられ、図１（Ｂ）及び図２（Ａ）、（Ｂ）に示すように蛇腹状に折り畳まれ、引き続き折り畳まれた各葉片間を剥離可能に接着するために、例えば一対の搬送ローラと一対のヒータパネルが交互に配置されると共に出口に一対の加圧ローラが設けられた一体化装置へ送り込まれる。【００２４】  前記一体化装置では、通過するはがきシートＳ１に加熱・加圧処理が施され、対向する葉片間の疑似接着フィルムシートＧ同士が剥離可能に接着し、折り畳み郵便はがきＨ１として完成され、その後通常はがきとして投函されるのである。【００２５】  このような構成の折り畳み郵便はがきＨ１は、第四葉片４が宛名ラベルと見なされるため、その表出面側は決められた情報（料金受取人払い及びそれに関連する表示、郵便番号枠及び受取人の住所氏名等の郵便業務に関連する必須の表示に限られる）しか記載できない。しかし第四葉片４の裏面と第三葉片３の表面には各種情報の記載ができるため、従来の三つ折りはがきより多くの情報記載が可能になるのである。
【実施例２】
【００２６】［４葉片が連接された折り畳み郵便はがきＨ２］
図４（Ａ）、（Ｂ）及び図５（Ａ）、（Ｂ）に示すように本実施例２の折り畳み郵便はがきＨ２は、上から第四葉片１４、第三葉片１３、第二葉片１２及び第一葉片１１が折り線１７、１６及び１５から蛇腹状に折り畳まれ、それぞれの対向面間は疑似接着フィルムシートＧを介して剥離可能に接着されている。各葉片の横幅の関係は図６（Ａ）及び（Ｂ）に示すように、第一葉片１１≒第二葉片１２＞第三葉片１３≒第四葉片１４となり、また縦幅の関係は第一葉片１１≒第二葉片１２＞第三葉片１３≒第四葉片１４である。そして折り畳み後に重なり合う第三葉片１３及び第四葉片１４の下部から第二葉片１２の縦縁辺と下部が表出し、縦縁辺の表出面に「ＰＯＳＴ  ＣＡＲＤ」或いは「郵便はがき」等の表示がなされている。この場合、前記表示がされている第二葉片１２がはがき本体とみなされる。【００２７】  この折り畳み郵便はがきＨ２の受取人は、各葉片の対向面の縦縁辺に形成されている疑似接着フィルムシートＧ同士が接着していない非接着域の空間を剥離の端緒として、指で摘まみ捲り上げることができる。そして図６（Ａ）及び（Ｂ）に示すように蛇腹状に折り畳まれていた各葉片の対向面を剥離して平面に展開することにより、内部の情報を透明或いは半透明の疑似接着フィルムシートＧを透して視認することが出来るのである。【００２８】  本実施例２の折り畳み郵便はがきＨ２は、例えば図６（Ａ）及び（Ｂ）に示す、第一葉片１１、第二葉片１２、第三葉片１３及び第四葉片１４が折り線１５、１６及び１７を介して横方向に連接されたはがきシートＳ２により製造される。【００２９】  長尺状シート或いは枚葉状シートに印刷されたはがきシートＳ２の、各葉片の表裏面の疑似接着予定面には、ラミネータ等の被覆装置により疑似接着フィルムシートＧが、図６（Ａ）に示すように第二葉片１２及び第三葉片１３表面の略全面、そして同図（Ｂ）に示すように第二葉片１２及び第三葉片１３裏面の全面及び第一葉片１１及び第四葉片１４の略全面に被覆される。なお図６（Ａ）に示すように第二葉片１２及び第三葉片１３表面の折り線１５及び１７に沿った領域、同図（Ｂ）に示すように第一葉片１１及び第四葉片１４の外側端縁の疑似接着フィルムシートＧが被覆されていない領域は、既述の折り畳み郵便はがきＨ２の受取人が開封の端緒とする非接着領域を形成する。【００３０】  このように疑似接着フィルムシートＧが被覆されたはがきシートＳ２は、断裁機や型抜き機等により周囲が切除されて切り出された後に折り機に掛けられ、さらに一体化装置へ送り込まれ最終的に折り畳み郵便はがきＨ２として完成するが、それら各工程の詳細説明は前記実施例１と同様なので省略する。【００３１】  このような構成の折り畳み郵便はがきＨ２は、第四葉片１４が宛名ラベルと見なされるため、その表出面側は決められた情報（料金受取人払い及びそれに関連する表示、郵便番号枠及び受取人の住所氏名等の郵便業務に関連する必須の表示に限られる）しか記載できない。しかし第四葉片１４の裏面と第三葉片１３の表面には各種情報の記載ができるため、従来の三つ折りはがきより多くの情報記載が可能になるのである。
【実施例３】
【００３２】［５葉片が連接された折り畳み郵便はがきＨ３］
図７（Ａ）、（Ｂ）及び図８（Ａ）、（Ｂ）に示すように本実施例３の折り畳み郵便はがきＨ３は、上から第五葉片２５第四葉片２４、第三葉片２３、第二葉片２２及び第一葉片２１が折り線２９、２８、２７及び２６から蛇腹状に折り畳まれ、各葉片の対向面間は疑似接着フィルムシートＧを介して剥離可能に或いは完全接着フィルムシートＫを介して剥離不能に接着されている。各葉片の横幅の違いは図９（Ａ）及び（Ｂ）に示すように、第一葉片２１≒第二葉片２２≒第三葉片２３＞第四葉片２４≒第五葉片２５である。従って第四葉片２４及び第五葉片２５の縦縁辺から第三葉片２３の縦縁辺部分が表出し、その表出面に「ＰＯＳＴ  ＣＡＲＤ」或いは「郵便はがき」等の表示がされている。【００３３】  なお前記表示がされている第三葉片２３は、第二葉片２２と対向面間を完全接着フィルムシートＫにより剥離不能に接着され一体化している。従って本折り畳み郵便はがきＨ３は、前記一体化している第三葉片２３と第二葉片２２がはがき本体とみなされる。また第二葉片２２側の完全接着フィルムシートＫは、折り線２６を越えて表出している第一葉片２１の縦縁辺側へ折り返し被覆されている。なお前記完全接着フィルムシートＫは必ずしも折り線２６を越えて被覆される必要はなく、折り線２６の手前で止めておいても構わない。【００３４】  この折り畳み郵便はがきＨ３の受取人は、各葉片対向面の縦縁辺に形成されている疑似接着フィルムシートＧ同士が接着していない非接着域の空間を剥離の端緒として、指で摘まみ捲り上げることができる。そして図９（Ａ）及び（Ｂ）に示すように蛇腹状に折り畳まれていた各葉片の疑似接着フィルムシートＧ同士の対向面を剥離して平面に展開し、内部の情報を透明或いは半透明の疑似接着フィルムシートＧを透して視認することが出来るのである。【００３５】  本実施例３の折り畳み郵便はがきＨ３は、例えば図９（Ａ）及び（Ｂ）に示すように第一葉片２１、第二葉片２２、第三葉片２３、第四葉片２４及び第五葉片２５が折り線２６、２７、２８及び２９を介して横方向に連接されているはがきシートＳ３により製造される。【００３６】  長尺状シート或いは枚葉状シートに印刷されたはがきシートＳ３の、各葉片の表裏面の疑似接着予定面には、ラミネータ等の被覆装置により疑似接着フィルムシートＧが被覆される。また同様に完全接着予定面には完全接着フィルムシートＫが被覆される。具体的には前記疑似接着フィルムシートＧは図９（Ａ）に示すように、はがきシートＳ３表面側第一葉片２１の全面と第二葉片２２、第三葉片２３及び第四葉片２４の略全面を被覆する。そして同図（Ｂ）に示すようにはがきシートＳ３裏面側第四葉片２４の略全面と第五葉片２５の全面を被覆する。さらに完全接着フィルムシートＫは同図（Ｂ）に示すように、はがきシートＳ３裏面側の第二葉片２２を全面的に被覆し、第三葉片２３の略全面被覆すると共に折り線２６を越えて第一葉片２１の折り線２６側縁辺迄を被覆する。【００３７】  なお図９（Ａ）に示すように、第二葉片２２、第三葉片２３及び第四葉片２４の折り線２７及び２９の縁辺に沿った疑似接着フィルムシートＧが被覆されていない領域、及び同図（Ｂ）に示すように、第三葉片２３及び第四葉片２４の折り線２８の縁辺に沿った疑似接着フィルムシートＧが被覆されていない領域は、折り畳み郵便はがきＨ３の受取人が開封の端緒とする非接着領域を形成する。【００３８】  疑似接着フィルムシートＧ及び完全接着フィルムシートＫの被覆領域に格別な制限はない。例えば図９（Ａ）において折り線２７を境に、隙間を開けて両側に疑似接着フィルムシートＧが被覆されているが、第一葉片２１から第四葉片２４にわたる広幅の疑似接着フィルムシートＧにより、折り線２７を含めて各葉片を連接する折り線を被覆しても構わない。また逆に各葉片の横幅に満たない幅の疑似接着フィルムシートＧでそれぞれ被覆することにより、全ての折り線を被覆せずに表出させた態様としても構わない。さらに同図において第一葉片２１の外側の縦縁辺まできっちりと疑似接着フィルムシートＧが被覆されているが外側の縦縁辺を被覆せずに非接着領域を形成するような態様としても構わない。【００３９】  また開封の端緒として非接着域を形成する手段を記載しているが、これら開封のための手段に関しても格別な制限はない。例えば前記非接着領域以外に、従来から公知の開封側縁辺に沿って段差を形成する手段を用いても構わない。この場合葉片の幅を相違させることにより折り畳み後自動的に段差が形成される。前記段差による開封手段の場合疑似接着フィルムシートＧを折り線や断ち切りとなる外側の縦縁辺から控えて非接着域を形成する必要がなく、仮に開封側縦縁の段差を形成する両葉片の、縦縁辺一杯に疑似接着フィルムシートＧが形成されていても容易に開封することが可能である。なおこれら開封手段の形成方法は全ての実施例に共通する。【００４０】  このように疑似接着フィルムシートＧと折り線及び外側葉片の外縦縁辺の被覆に関する設計及び開封の手段の選択等は、作製する折り畳み郵便はがきの使用目的やデザイン等により使い分ければよく、この点についても他の全ての実施例にも共通するところである。【００４１】  既述の通り各種フィルムシートが被覆されたはがきシートＳ３は、断裁機等により周囲が切除されて切り出された後に折り機に掛けられると、図７（Ｂ）及び図８（Ａ）、（Ｂ）に示すように蛇腹状に折り畳まれ、引き続き折り畳まれた各葉片を剥離可能或いは剥離不能に接着して一体化する一体化装置で処理される。【００４２】  このような構成の折り畳み郵便はがきＨ３は、第五葉片２５が宛名ラベルと見なされるため、その表出面側は決められた情報（料金受取人払い及びそれに関連する表示、郵便番号枠及び受取人の住所氏名等の郵便業務に関連する必須の表示に限られる）しか記載できない。しかし第五葉片２５の裏面と第四葉片２４の表面には各種情報の記載ができるため、従来の三つ折りはがきより多くの情報記載が可能になるのである。
【実施例４】
【００４３】［５葉片が連接された折り畳み郵便はがきＨ４］
図１０（Ａ）、（Ｂ）及び図１１（Ａ）、（Ｂ）に示すように本実施例４の折り畳み郵便はがきＨ４は、上から第五葉片３５第四葉片３４、第三葉片３３、第二葉片３２及び第一葉片３１が折り線３９、３８、３７及び３６から蛇腹状に折り畳まれ、それぞれの対向面間は疑似接着フィルムシートＧを介して剥離可能に或いは完全接着フィルムシートＫを介して剥離不能に接着されている。各葉片の横幅の違いは図１２（Ａ）及び（Ｂ）に示すように、第一葉片３１≒第二葉片３２≒第三葉片３３＞第四葉片３４≒第五葉片３５である。従って折り畳まれた第四葉片３４及び第五葉片３５の縦縁辺から第三葉片３３の縦縁辺部分が表出し、その表出面に「ＰＯＳＴ  ＣＡＲＤ」或いは「郵便はがき」等の表示がされている。【００４４】  なお前記表示がされている第三葉片３３は、第二葉片３２と対向面間を完全接着フィルムシートＫにより剥離不能に接着され一体化している。従って折り畳み郵便はがきＨ４は、前記一体化している第三葉片３３と第二葉片３２がはがき本体とみなされる。【００４５】  この折り畳み郵便はがきＨ４の受取人は、各葉片対向面の縦縁辺に形成されている疑似接着フィルムＧ同士が接着していない非接着域の空間を剥離の端緒として、指で摘まみ捲り上げることができる。そして図１２（Ａ）及び（Ｂ）に示すように蛇腹状に折り畳まれていた葉片の対向面を剥離して平面に展開し、内部の情報を透明或いは半透明の疑似接着フィルムシートＧを透して視認することが出来るのである。【００４６】  本実施例４の折り畳み郵便はがきＨ４は、例えば図１２（Ａ）及び（Ｂ）に示すように第一葉片３１、第二葉片３２、第三葉片３３、第四葉片３４及び第五葉片３５が折り線３６、３７、３８及び３９を介して横方向に連接されているはがきシートＳ４により製造される。【００４７】  長尺状シート或いは枚葉状シートに印刷されたはがきシートＳ４の、各葉片の表裏面の疑似接着予定面には、ラミネータ等の被覆装置により疑似接着フィルムシートＧが被覆される。また同様に完全接着予定面には完全接着フィルムシートＫが被覆される。具体的には前記疑似接着フィルムシートＧは図１２（Ａ）に示すように、はがきシートＳ４表面側の第一葉片３１の全面と第二葉片３２、第三葉片３３及び第四葉片３４の略全面を被覆する。そして同図（Ｂ）に示すようにはがきシートＳ４裏面側の第四葉片３４の略全面と第五葉片３５の全面を被覆する。さらにはがきシートＳ４裏面の完全接着予定面には完全接着フィルムシートＫが同図（Ｂ）に示すように、第二葉片３２の全面と第三葉片３３の略全面を被覆すると共に折り線３６を跨いで第一葉片３１の前記折り線３６に沿った部分迄を被覆する。【００４８】  既述の通り各種フィルムシートが被覆されたはがきシートＳ４は、断裁機等により周囲が切除されて切り出された後に折り機に掛けられると、図１０（Ｂ）及び図１１（Ａ）、（Ｂ）に示すように蛇腹状に折り畳まれ、引き続き折り畳まれた各葉片を剥離可能に接着して一体化する一体化装置で処理される。
【実施例５】
【００４９】［５葉片が連接された折り畳み郵便はがきＨ５］
図１３（Ａ）、（Ｂ）及び図１４（Ａ）、（Ｂ）に示すように本実施例５の折り畳み郵便はがきＨ５は、上から第五葉片４５第四葉片４４、第三葉片４３、第二葉片４２及び第一葉片４１が折り線４９、４８、４７及び４６から蛇腹状に折り畳まれ、それぞれの対向面間は疑似接着フィルムシートＧを介して剥離可能に或いは完全接着フィルムシートＫを介して剥離不能に接着されている。各葉片の横幅の違いは図１５（Ａ）及び（Ｂ）に示すように、第一葉片４１≒第二葉片４２＞第三葉片４３≒第四葉片４４≒第五葉片４５である。従って折り畳まれた第三葉片４３、第四葉片４４及び第五葉片４５の縦縁辺から第二葉片４２の縦縁辺部分が表出し、その表出面に「ＰＯＳＴ  ＣＡＲＤ」或いは「郵便はがき」等の表示がされている。【００５０】  なお前記表示がされている第二葉片４２は、第三葉片４３と対向面間を完全接着フィルムシートＫにより剥離不能に接着され一体化している。従って折り畳み郵便はがきＨ５は、前記一体化している第三葉片４３と第二葉片４２がはがき本体とみなされる。【００５１】  この折り畳み郵便はがきＨ５の受取人は、各葉片対向面の縦縁辺に形成されている疑似接着フィルムＧ同士が接着していない非接着域の空間を剥離の端緒として、指で摘まみ捲り上げることができる。そして図１５（Ａ）及び（Ｂ）に示すように蛇腹状に折り畳まれていた葉片の対向面を剥離して平面に展開し、内部の情報を透明或いは半透明の疑似接着フィルムシートＧを透して視認することが出来るのである。【００５２】  本実施例５の折り畳み郵便はがきＨ５は、例えば図１５（Ａ）及び（Ｂ）に示すように第一葉片４１、第二葉片４２、第三葉片４３、第四葉片４４及び第五葉片４５が折り線４６、４７、４８及び４９を介して横方向に連接されているはがきシートＳ５により製造される。【００５３】  長尺状シート或いは枚葉状シートに印刷されたはがきシートＳ５の、各葉片の表裏面の疑似接着予定面には、ラミネータ等の被覆装置により疑似接着フィルムシートＧが被覆される。また同様に完全接着予定面には完全接着フィルムシートＫが被覆される。具体的には前記疑似接着フィルムシートＧは図１５（Ａ）に示すように、はがきシートＳ５表面側の第四葉片４４の略全面と第五葉片４５の全面を被覆する。また完全接着フィルムシートＫは第二葉片４２と第三葉片４３の略全面を被覆する。そして同図（Ｂ）に示すようにはがきシートＳ５裏面側は第二葉片４２及び第三葉片４３の全面と、第一葉片４１及び第四葉片４４の略全面を被覆する。【００５４】  既述の通り各種フィルムシートが被覆されたはがきシートＳ５は、断裁機等により周囲が切除されて切り出された後に折り機に掛けられると、図１３（Ｂ）及び図１４（Ａ）、（Ｂ）に示すように蛇腹状に折り畳まれ、引き続き折り畳まれた各葉片を剥離可能に接着して一体化する一体化装置で処理される。
【実施例６】
【００５５】［４葉片が連接された折り畳み郵便はがきＨ６］
図１６（Ａ）、（Ｂ）及び図１７（Ｂ）に示すように本実施例６の折り畳み郵便はがきＨ６は、上から第四葉片５４、第三葉片５３、第二葉片５２及び第一葉片５１が折り線５７、５６及び５５から蛇腹状に折り畳まれ、それぞれの対向面間は疑似接着フィルムシートＧを介して剥離可能に接着されている。各葉片の横幅は略同じであるが縦幅に相違があり、図１８（Ａ）及び（Ｂ）に示すように、第一葉片５１≒第二葉片５２＞第三葉片５３≒第四葉片５４である。従って折り畳まれた際に第三葉片５３及び第四葉片５４の天辺から第二葉片５２の天辺部分が表出し、その表出面に横書きで「ＰＯＳＴ  ＣＡＲＤ」或いは「郵便はがき」等の表示がされている。【００５６】  この折り畳み郵便はがきＨ６の受取人は、各葉片対向面の縦縁辺に形成されている疑似接着フィルムＧ同士が接着していない非接着域の空間を剥離の端緒として、指で摘まみ捲り上げることができる。そして図１８（Ａ）及び（Ｂ）に示すように蛇腹状に折り畳まれていた葉片の対向面を剥離し平面に展開して、内部の情報を透明或いは半透明の疑似接着フィルムシートＧを透して視認することが出来るのである。【００５７】  本実施例６の折り畳み郵便はがきＨ６は、例えば図１８（Ａ）及び（Ｂ）に示すように第一葉５１、第二葉片５２、第三葉片５３及び第四葉片５４が折り線５５、５６及び５７を介して横方向に連接されているはがきシートＳ６により製造される。【００５８】  長尺状シート或いは枚葉状シートに印刷されたはがきシートＳ６の、各葉片の表裏面の疑似接着予定面には、ラミネータ等の被覆装置により疑似接着フィルムシートＧが被覆される。具体的には前記疑似接着フィルムシートＧは図１８（Ａ）に示すように、第二葉片５２と第三葉片５３表面の略全面を被覆する。そして同図（Ｂ）に示すように第二葉片５２及び第三葉片５３の全面と、第一葉片５１及び第四葉片５４の略全面を被覆する。【００５９】  既述の通り疑似接着フィルムシートＧが被覆されたはがきシートＳ６は、断裁機や打ち抜き機等により周囲が切除されて切り出された後に折り機に掛けられると、図１６（Ｂ）及び図１７（Ａ）、（Ｂ）に示すように蛇腹状に折り畳まれ、引き続き折り畳まれた各葉片を剥離可能に接着して一体化する一体化装置で処理される。
【実施例７】
【００６０】［５葉片が連接された折り畳み郵便はがきＨ７］
図１９（Ａ）、（Ｂ）及び図２０（Ｂ）に示すように本実施例７の折り畳み郵便はがきＨ７は、上から第五葉片６５、第四葉片６４、第三葉片６３、第二葉片６２及び第一葉片６１が折り線６９、６８、６７及び６６から蛇腹状に折り畳まれ、それぞれの対向面間は疑似接着フィルムシートＧを介して剥離可能に或いは完全接着フィルムシートＫを介して剥離不能に接着されている。図２１（Ａ）及び（Ｂ）に示すように各葉片の横幅は略同じであるが縦幅に相違があり、第一葉片６１≒第二葉片６２≒第三葉片６３＞第四葉片６４≒第五葉片６５である。従って折り畳まれた際に第三葉片６３、第四葉片６４及び第五葉片６５の天辺から第三葉片６３の天辺部分が表出し、その表出面に横書きで「ＰＯＳＴ  ＣＡＲＤ」或いは「郵便はがき」等の表示がされている。【００６１】  この折り畳み郵便はがきＨ７の受取人は、各葉片対向面の縦縁辺に形成されている疑似接着フィルムＧ同士が接着していない非接着域の空間を剥離の端緒として、指で摘まみ捲り上げることができる。そして図２１（Ａ）及び（Ｂ）に示すように蛇腹状に折り畳まれていた葉片の対向面を剥離し平面に展開して、内部の情報を透明或いは半透明の疑似接着フィルムシートＧを透して視認することが出来るのである。【００６２】  本実施例７の折り畳み郵便はがきＨ７は、例えば図２１（Ａ）及び（Ｂ）に示すように第一葉６１、第二葉片６２、第三葉片６３、第四葉片６４及び第五葉片６５が折り線６６、６７、６８及び６９を介して横方向に連接されているはがきシートＳ７により製造される。【００６３】  長尺状シート或いは枚葉状シートに印刷されたはがきシートＳ７の、各葉片の表裏面の疑似接着予定面或いは完全接着予定面には、ラミネータ等の被覆装置により疑似接着フィルムシートＧ或いは完全接着フィルムシートＫが被覆される。具体的には図２１（Ａ）に示すように、第二葉片６２及び第三葉片６３表面の略全面が完全接着フィルムシートＫにより被覆され、また第四葉片６４及び第五葉片６５表面の略全面が疑似接着フィルムシートＧにより被覆される。そして同図（Ｂ）に示すように第二葉片６２及び第三葉片６３裏面の全面と第一葉片６１及び第四葉片６４裏面の略全面が疑似接着フィルムシートＧにより被覆される。【００６４】  既述の通り疑似接着フィルムシートＧ或いは完全接着フィルムシートＫが被覆されたはがきシートＳ７は、断裁機や打ち抜き機等により周囲が切除されて切り出され折り機に掛けられると、図１９（Ｂ）及び図２０（Ａ）、（Ｂ）に示すように蛇腹状に折り畳まれ、引き続き折り畳まれた各葉片を剥離可能に接着して一体化する一体化装置で処理される。
【実施例８】
【００６５】［５葉片が連接された折り畳み郵便はがきＨ８］
図２２（Ａ）、（Ｂ）及び図２３（Ｂ）に示すように本実施例８の折り畳み郵便はがきＨ８は、上から第五葉片７５、第四葉片７４、第三葉片７３、第二葉片７２及び第一葉片７１が折り線７９、７８、７７及び７６から蛇腹状に折り畳まれ、それぞれの対向面間は疑似接着フィルムシートＧを介して剥離可能に或いは完全接着フィルムシートＫを介して剥離不能に接着されている。各葉片の横幅は略同じであるが縦幅に相違があり、第一葉片７１≒第二葉片７２＞第三葉片７３≒第四葉片７４≒第五葉片７５である。従って折り畳まれた際に第三葉片７３、第四葉片７４及び第五葉片７５の天辺から第二葉片７２の天辺部分が表出し、その表出面に横書きで「ＰＯＳＴ  ＣＡＲＤ」或いは「郵便はがき」等の表示がされている。【００６６】  この折り畳み郵便はがきＨ８の受取人は、各葉片対向面の縦縁辺に形成されている疑似接着フィルムＧ同士が接着していない非接着域の空間を剥離の端緒として、指で摘まみ捲り上げることができる。そして図２４（Ａ）及び（Ｂ）に示すように蛇腹状に折り畳まれていた葉片の対向面を剥離し平面に展開して、内部の情報を透明或いは半透明の疑似接着フィルムシートＧを透して視認することが出来るのである。【００６７】  本実施例８の折り畳み郵便はがきＨ８は、例えば図２４（Ａ）及び（Ｂ）に示すように第一葉７１、第二葉片７２、第三葉片７３、第四葉片７４及び第五葉片７５が折り線７６、７７、７８及び７９を介して横方向に連接されているはがきシートＳ８により製造される。【００６８】  長尺状シート或いは枚葉状シートに印刷されたはがきシートＳ８の、各葉片の表裏面の疑似接着予定面或いは完全接着予定面には、ラミネータ等の被覆装置により疑似接着フィルムシートＧ或いは完全接着フィルムシートＫが被覆される。具体的には図２４（Ａ）に示すように、第二葉片７２及び第三葉片７３表面の全面と第一葉片７１及び第四葉片７４表面の略全面が疑似接着フィルムシートＧにより被覆される。そして同図（Ｂ）に示すように、第四葉片７４裏面の略全面と第五葉片７５裏面の全面が疑似接着フィルムシートＧにより被覆され、第二葉片７２の裏面全面と第三葉片７３裏面の略全面、そして第一葉片７１裏面の折り線７６に沿った一部が完全接着フィルムシートＫにより被覆される。【００６９】  既述の通り疑似接着フィルムシートＧ或いは完全接着フィルムシートＫが被覆されたはがきシートＳ８は、断裁機や打ち抜き機等により周囲が切除されて切り出された後に折り機に掛けられると、図２２（Ｂ）及び図２３（Ａ）、（Ｂ）に示すように蛇腹状に折り畳まれ、引き続き折り畳まれた各葉片を剥離可能に接着して一体化する一体化装置で処理される。
【実施例９】
【００７０】［本体葉片の表出面が広い折り畳み郵便はがきＨ９］
図２５（Ａ）及び（Ｂ）に示すように本実施例９の折り畳み郵便はがきＨ９は、上から第四葉片８４、第三葉片８３、第二葉片８２及び第一葉片８１が折り線８７、８６及び８５から蛇腹状に折り畳まれ、それぞれの対向面間は疑似接着フィルムシートＧを介して剥離可能に或いは完全接着フィルムシートＫを介して剥離不能に接着されている。各葉片の横幅の違いは第一葉片８１≒第二葉片８２＞第三葉片８３≒第四葉片８４である。また縦幅の関係は第一葉片８１≒第二葉片８２≒第三葉片８３＞第四葉片８４で、この各葉片の横幅と縦幅の違いは実施例１の折り畳み郵便はがきＨ１と同じである。【００７１】  本実施例９の折り畳み郵便はがきＨ９と前記折り畳み郵便はがきＨ１との相違は、本実施例では第四葉片８４及び第三葉片８３の横幅を実施例１のそれよりも狭くして、それにより表出面積が広くなる第二葉片８２の表出面に「ＰＯＳＴ  ＣＡＲＤ」或いは「郵便はがき」等の表示に加え、料金受取人払い及びそれに関連する表示がされていることである。
なお、本実施例のように本体葉片の表出面を広くして「ＰＯＳＴ  ＣＡＲＤ」或いは「郵便はがき」等の表示に加え、料金受取人払い及びそれに関連する表示をなす設計変更は、他の実施例にも適用されることは言うまでもない。
【実施例１０】
【００７２】［１枚の葉片が分離する折り畳み郵便はがきＨ１０］
図２６（Ａ）及び（Ｂ）に示すように本実施例１０の折り畳み郵便はがきＨ１０は、上から第五葉片９５、第四葉片９４、第三葉片９３、第二葉片９２及び第一葉片９１が折り線９９、９８、９７及び９６から蛇腹状に折り畳まれ、それぞれの対向面間は疑似接着フィルムシートＧを介して剥離可能に或いは完全接着フィルムシートＫを介して剥離不能に接着されている。各葉片の横幅の違いは第一葉片９１≒第二葉片９２＞第三葉片９３≒第四葉片９４≒第五葉片９５である。また縦幅の関係は第一葉片９１≒第二葉片９２＞第三葉片９３≒第四葉片９４≒第五葉片９５で実施例５の折り畳み郵便はがきＨ５と同じである。因みに前記縦幅の関係が第一葉片９１≒第二葉片９２≒第三葉片９３≒第四葉片９４＞第五葉片９５であっても構わない。【００７３】  本実施例１０の折り畳み郵便はがきＨ１０と前記実施例５の折り畳み郵便はがきＨ５との関係は、図１４（Ａ）に示す二点鎖線で折り畳み郵便はがきＨ５の右側縁辺を、図２６（Ａ）に示すように断裁したもので、各葉片は番号を変えて表示しているが同じである。このような構成の折り畳み郵便はがきＨ１０は、図２６（Ｂ）に示すように剥離展開後第五葉片９５が分離して、残りの４葉片は製本状態に展開される。なお図２０（Ｂ）に示す折り畳み郵便はがきＨ７も図中の二点鎖線で断裁することで第五葉片６５が分離して、他の葉片が製本状態に展開する。【００７４】  本発明は、上記実施例に限られるものではない。
例えば、疑似接着予定面或いは完全接着予定面に疑似接着フィルムシートＧ或いは完全接着フィルムシートＫを被覆する範囲に関しては、葉片全面を被覆してもまたは折り線や両外側の縁辺から控えたり、或いは折り線を越えて隣の葉片まで被覆したりする状態でも構わない。
また、前記実施例では、折り畳み郵便はがきを構成する疑似接着媒体としてフィルム方式の中の全面貼り方式を採用しているが、同じフィルム方式の中の挟み込み方式或いは先糊方式や後糊方式等により構成されていても構わない。これについては完全接着の方式も同様である。
【符号の説明】
【００７５】  Ｈ１、Ｈ２、Ｈ３、Ｈ４、Ｈ５、Ｈ６、Ｈ７、Ｈ８、Ｈ９、Ｈ１０  折り畳み郵便はがき
Ｓ１、Ｓ２、Ｓ３、Ｓ４、Ｓ５、Ｓ６、Ｓ７、Ｓ８  はがきシート
Ｇ  疑似接着フィルムシート
Ｋ  完全接着フィルムシート
１、２、３、４、１１、１２、１３、１４、２１、２２、２３、２４、２５、３１  ３２、３３、３４、３５、４１、４２、４３、４４、４５、５１、５２、５３、５４、６１、６２、６３、６４、６５、７１、７２、７３、７４、７５、８１、８２、８３、８４、９１、９２、９３、９４、９５  葉片
５、６、７、１５、１６、１７、２６、２７、２８、２９、３６、３７、３８、３９、４６、４７、４８、４９、５５、５６、５７、６６、６７、６８、６９、７６、７７、７８、７９、８５、８６、８７、９６、９７、９８、９９  折り線
【図１】
2019181909.tif 000003
【図２】
2019181909.tif 000004
【図３】
2019181909.tif 000005
【図４】
2019181909.tif 000006
【図５】
2019181909.tif 000007
【図６】
2019181909.tif 000008
【図７】
2019181909.tif 000009
【図８】
2019181909.tif 000010
【図９】
2019181909.tif 000011
【図１０】
2019181909.tif 000012
【図１１】
2019181909.tif 000013
【図１２】
2019181909.tif 000014
【図１３】
2019181909.tif 000015
【図１４】
2019181909.tif 000016
【図１５】
2019181909.tif 000017
【図１６】
2019181909.tif 000018
【図１７】
2019181909.tif 000019
【図１８】
2019181909.tif 000020
【図１９】
2019181909.tif 000021
【図２０】
2019181909.tif 000022
【図２１】
2019181909.tif 000023
【図２２】
2019181909.tif 000024
【図２３】
2019181909.tif 000025
【図２４】
2019181909.tif 000026
【図２５】
2019181909.tif 000027
【図２６】
2019181909.tif 000028